(57)【特許請求の範囲】
【請求項１】
電話機能を有する端末の呼び出しに応じてリングバックトーン期間中に呼出音を出力する呼び出し制御システムであって、
端末の電話番号と当該電話番号に対応する会員ＩＤを記憶する会員記憶手段と、
アーティスト毎に、アーティストの素材ＩＤと音声データとを対応させて記憶するコンテンツ記憶手段と、
端末からのアクセスにより当該端末に対するユーザの操作に応じて、前記コンテンツ記憶手段に記憶される素材ＩＤの選択と名前および文のテキスト文字列入力とを受け付け、前記受け付けられた素材ＩＤと、名前および文のテキスト文字列との組み合わせを前記会員記憶手段に記憶される前記ユーザの会員ＩＤに対応させて記憶するプロフィール記憶手段と、
端末からの呼び出しに応じて前記会員記憶手段を参照して前記呼び出し元端末の電話番号に対応する会員ＩＤを取得し、前記プロフィール記憶手段を参照して前記取得された会員ＩＤに対応する素材ＩＤと名前および文のテキスト文字列とを取得するプロフィール取得手段と、
前記コンテンツ記憶手段を参照して前記プロフィール取得手段で取得された素材ＩＤに対応する音声データと前記プロフィール取得手段で取得された名前および文のテキスト文字列とに基づいて前記リングバックトーン期間中に前記呼び出し元端末に出力する音声を再生する音声再生手段と、
を備えたことを特徴とする呼び出し制御システム。
【請求項２】
前記プロフィール記憶手段は、ユーザの操作に応じて名前のテキスト文字列入力と文のテキスト文字列入力とを別々に受け付けることを特徴とする請求項１記載の呼び出し制御システム。
【請求項３】
前記文は前記名前の前に組み合わせられる前置文と前記名前の後に組み合わせられる後置文である、請求項１または２記載の呼び出し制御システム。
【請求項４】
電話機能を有する端末の呼び出しに応じてリングバックトーン期間中に呼出音を出力するサーバの呼び出し制御方法であって、
端末からのアクセスにより当該端末に対するユーザの操作に応じて、アーティスト毎に、アーティストの素材ＩＤと音声データとを対応させて記憶するコンテンツ記憶手段に記憶した素材ＩＤの選択と名前および文のテキスト文字列入力とを受け付け、前記受け付けられた素材ＩＤと名前および文のテキスト文字列との組み合わせを、端末の電話番号と当該電話番号に対応する会員ＩＤを記憶する会員記憶手段に記憶した前記ユーザの会員ＩＤに対応させてプロフィール記憶手段に記憶する第１ステップと、
端末からの呼び出しに応じて前記会員記憶手段を参照して前記呼び出し元端末の電話番号に対応する会員ＩＤを取得し、前記を参照して前記取得された会員ＩＤに対応する素材ＩＤと名前および文のテキスト文字列とを取得する第２ステップと、
前記コンテンツ記憶手段を参照して前記第２ステップで取得された素材ＩＤに対応する音声データと前記第２ステップで取得された名前および文のテキスト文字列とに基づいて前記リングバックトーン期間中に前記呼び出し元端末に出力する音声を再生する第３ステップと、
を含んだことを特徴とする呼び出し制御方法。
【請求項５】
第１ステップにおいて、ユーザの操作に応じて名前のテキスト文字列入力と文のテキスト文字列入力とを別々に受け付けるステップを含むことを特徴とする請求項４記載の呼び出し制御方法。
【請求項６】
前記文は前記名前の前に組み合わせられる前置文と前記名前の後に組み合わせられる後置文であることを特徴とする請求項４または５記載の呼び出し制御方法。
【請求項７】
電話機能を有する端末の呼び出しに応じてリングバックトーン期間中に呼出音を出力するサーバのコンピュータにより実行可能な呼び出し制御プログラムであって、
前記コンピュータに、
端末からのアクセスにより当該端末に対するユーザの操作に応じて、アーティスト毎に、アーティストの素材ＩＤと音声データとを対応させて記憶するコンテンツ記憶手段に記憶した素材ＩＤの選択と名前および文のテキスト文字列入力とを受け付け、前記受け付けられた素材ＩＤと名前および文のテキスト文字列との組み合わせを、端末の電話番号と当該電話番号に対応する会員ＩＤを記憶する会員記憶手段に記憶した前記ユーザの会員ＩＤに対応させてプロフィール記憶手段に記憶する第１ステップと、
端末からの呼び出しに応じて前記会員記憶手段を参照して前記呼び出し元端末の電話番号に対応する会員ＩＤを取得し、前記を参照して前記取得された会員ＩＤに対応する素材ＩＤと名前および文のテキスト文字列とを取得する第２ステップと、
前記コンテンツ記憶手段を参照して前記第２ステップで取得された素材ＩＤに対応する音声データと前記第２ステップで取得された名前および文のテキスト文字列とに基づいてリングバックトーン期間中に前記呼び出し元端末に出力する音声を再生する第３ステップと、
を実行させることを特徴とする呼び出し制御プログラム。
【請求項８】
第１ステップにおいて、ユーザの操作に応じて名前のテキスト文字列入力と文のテキスト文字列入力とを別々に受け付けるステップを含むことを特徴とする請求項７記載の呼び出し制御プログラム。
【請求項９】
前記文は前記名前の前に組み合わせられる前置文と前記名前の後に組み合わせられる後置文であることを特徴とする請求項７または８記載の呼び出し制御プログラム。
【発明の詳細な説明】
【技術分野】
【０００１】
本発明は、たとえば、携帯電話等の携帯端末の呼び出し時の制御に関する呼び出し制御システム、呼び出し制御方法および呼び出し制御プログラムに関する。
【背景技術】
【０００２】
従来、発信元端末から相手（発信先）端末に電話をかけた場合、相手が電話にでるまでのリングバックトーン期間中は、交換機から発信元端末に対してあらかじめ決められた呼出音が送られることが一般的である。
【０００３】
今日、上述のリングバックトーン期間中に、交換機から発信元端末に対して音楽を送る手法（特許文献１）や音声・文字・画像を送る手法（特許文献２）が提案されている。
【０００４】
具体例として、株式会社エヌ・ティ・ティ・ドコモにより提供されるメロディコール（登録商標）がある。このメロディコール（登録商標）は、特定の電話番号に対してあらかじめ楽曲を対応付けて登録しておき、その登録されている電話番号からの呼び出しが入ると、対応付けられた楽曲が再生され、発信元端末に対してリングバックトーンの代わりに再生された楽曲が提供される仕組みである。
【０００５】
【特許文献１】特開２００２−３６８８８２号公報
【特許文献２】特表２００３−５０５９３７号公報
【発明の開示】
【発明が解決しようとする課題】
【０００６】
しかしながら、上述した従来例においては、電話を受ける側（発信先端末）のユーザにより発信元端末の電話番号に対して楽曲を対応付ける登録操作が発生しているので、登録件数が多くなるとユーザ側の登録操作にかかる負担が増すという危惧があった。また、発信元端末に対してひとつの楽曲が対応付けられるので、発信元端末では相手が電話にでるまでの期間は毎回同じ曲が流れることになるので、楽曲の提供がマンネリ化するという危惧もあった。
【０００７】
本発明の目的は、電話の呼び出し期間を有効に使用して、呼び出し側（発信元端末）のユーザに応じて音楽などのコンテンツを簡単かつ動的に変化させて提供することが可能な呼び出し制御システム、呼び出し制御方法および呼び出し制御プログラムを提供する点にある。
【課題を解決するための手段】
【０００８】
上述した課題を解決し、上記目的を達成するため、請求項１の発明に係る呼び出し制御システムは、電話機能を有する端末の呼び出しに応じてリングバックトーン期間中に音を出力する呼び出し制御システムであって、端末の電話番号と当該電話番号に対応する会員ＩＤを記憶する会員記憶手段と、アーティスト毎に、アーティストの素材ＩＤと音声データとを対応させて記憶するコンテンツ記憶手段と、端末からのアクセスにより当該端末に対するユーザの操作に応じて、前記コンテンツ記憶手段に記憶される素材ＩＤの選択と名前および文のテキスト文字列入力とを受け付け、前記受け付けられた素材ＩＤと、名前および文のテキスト文字列との組み合わせを前記会員記憶手段に記憶される前記ユーザの会員ＩＤに対応させて記憶するプロフィール記憶手段と、端末からの呼び出しに応じて前記会員記憶手段を参照して前記呼び出し元端末の電話番号に対応する会員ＩＤを取得し、前記プロフィール記憶手段を参照して前記取得された会員ＩＤに対応する素材ＩＤと名前および文のテキスト文字列とを取得するプロフィール取得手段と、前記コンテンツ記憶手段を参照して前記プロフィール取得手段で取得された素材ＩＤに対応する音声データと前記プロフィール取得手段で取得された名前および文のテキスト文字列とに基づいてリングバックトーン期間中に前記呼び出し元端末に出力する音声を再生する音声再生手段と、を備えたことを特徴とするものである
【０００９】
請求項１の発明は、請求項２のように、前記プロフィール記憶手段が、ユーザの操作に応じて名前のテキスト文字列入力と文のテキスト文字列入力とを別々に受け付けるようにしてもよい。
【００１０】
請求項１または２の発明は、請求項３のように、前記文が前記名前の前に組み合わせられる前置文と前記名前の後に組み合わせられる後置文であってもよい。
【００１１】
請求項４の発明に係る呼び出し制御方法は、電話機能を有する端末の呼び出しに応じてリングバックトーン期間中に呼出音を出力するサーバの呼び出し制御方法であって、 端末からのアクセスにより当該端末に対するユーザの操作に応じて、アーティスト毎に、アーティストの素材ＩＤと音声データとを対応させて記憶するコンテンツ記憶手段に記憶した素材ＩＤの選択と名前および文のテキスト文字列入力とを受け付け、前記受け付けられた素材ＩＤと名前および文のテキスト文字列との組み合わせを、端末の電話番号と当該電話番号に対応する会員ＩＤを記憶する会員記憶手段に記憶した前記ユーザの会員ＩＤに対応させてプロフィール記憶手段に記憶する第１ステップと、端末からの呼び出しに応じて前記会員記憶手段を参照して前記呼び出し元端末の電話番号に対応する会員ＩＤを取得し、前記を参照して前記取得された会員ＩＤに対応する素材ＩＤと名前および文のテキスト文字列とを取得する第２ステップと、前記コンテンツ記憶手段を参照して前記第２ステップで取得された素材ＩＤに対応する音声データと前記第２ステップで取得された名前および文のテキスト文字列とに基づいてリングバックトーン期間中に前記呼び出し元端末に出力する音声を再生する第３ステップと、を含んだことを特徴とする。
【００１２】
請求項４の発明は、請求項５のように、第１ステップにおいて、ユーザの操作に応じて名前のテキスト文字列入力と文のテキスト文字列入力とを別々に受け付けるステップを含むようにしてもよい。
【００１３】
請求項４または５の発明は、請求項６のように、前記文が前記名前の前に組み合わせられる前置文と前記名前の後に組み合わせられる後置文であってもよい。
【００１４】
請求項７の発明に係る呼び出し制御プログラムは、電話機能を有する端末の呼び出しに応じてリングバックトーン期間中に呼出音を出力するサーバのコンピュータにより実行可能な呼び出し制御プログラムであって、前記コンピュータに、端末からのアクセスにより当該端末に対するユーザの操作に応じて、アーティスト毎に、アーティストの素材ＩＤと音声データとを対応させて記憶するコンテンツ記憶手段に記憶した素材ＩＤの選択と名前および文のテキスト文字列入力とを受け付け、前記受け付けられた素材ＩＤと名前および文のテキスト文字列との組み合わせを、端末の電話番号と当該電話番号に対応する会員ＩＤを記憶する会員記憶手段に記憶した前記ユーザの会員ＩＤに対応させてプロフィール記憶手段に記憶する第１ステップと、端末からの呼び出しに応じて前記会員記憶手段を参照して前記呼び出し元端末の電話番号に対応する会員ＩＤを取得し、前記を参照して前記取得された会員ＩＤに対応する素材ＩＤと名前および文のテキスト文字列とを取得する第２ステップと、前記コンテンツ記憶手段を参照して前記第２ステップで取得された素材ＩＤに対応する音声データと前記第２ステップで取得された名前および文のテキスト文字列とに基づいてリングバックトーン期間中に前記呼び出し元端末に出力する音声を再生する第３ステップと、を実行させることを特徴とする。
【００１５】
請求項７の発明は、請求項８のように、第１ステップにおいて、ユーザの操作に応じて名前のテキスト文字列入力と文のテキスト文字列入力とを別々に受け付けるステップを含むようにしてもよい。
【００１６】
請求項７または８の発明は、請求項９のように、前記文が前記名前の前に組み合わせられる前置文と前記名前の後に組み合わせられる後置文であってもよい。
【発明の効果】
【００１７】
本発明によれば、電話の呼び出し時に、発信元端末に対して単調な呼出音を返すのではなく、電話の呼び出し期間を有効に使用して、呼び出し側（発信元端末）のユーザに応じて音楽などのコンテンツを簡単かつ動的に変化させて提供することが可能な呼び出し制御システム、呼び出し制御方法および呼び出し制御プログラムを提供できるという効果を奏する。
【発明を実施するための最良の形態】
【００１８】
以下、添付図面を参照して、本発明に係る最良の実施形態について詳細に説明する。図１は、本発明の一実施の形態に係る移動体通信システムを概略的に示す概略構成図である。移動体通信システムは、携帯端末との間で無線通信を行う基地局、基地局を接続する制御装置、この制御装置を接続する移動体交換システムにより構成される。図１の例では、携帯端末の代表例として携帯電話１１Ａ，１１Ｂ間の通信路が簡略的に示されている。図１に示した移動体交換システム１０は、移動体交換装置１２にデータベース１５を接続させた構成であり、インターネットにも通信上接続可能である。
【００１９】
携帯電話１１Ａの移動体通信経路には、携帯電話１１Ａとの間で無線通信を行う基地局１３Ａと移動体交換装置１２間に、基地局１３Ａを制御する制御装置１４Ａが設けられている。一方、携帯電話１１Ｂの移動体通信経路には、携帯電話１１Ｂとの間で無線通信を行う基地局１３Ｂと移動体交換装置１２間に、基地局１３Ｂを制御する制御装置１４Ｂが設けられている。
【００２０】
データベース１５は、加入者情報の他、音楽、声、画像などのコンテンツを登録しており、図示せぬインターネットを通じて外部から更新可能である。移動体交換装置１２は、電話の呼び出し時のリングバックトーン期間中に、データベース１５を参照して、発信元携帯電話に対してその電話保有者のプロフィールに応じて音楽、声、画像などのコンテンツを提供する機能を有している。
【００２１】
つぎに、移動体交換装置１２およびデータベース１５について図２を用いて詳述する。図２は本実施の形態による移動体交換装置１２の一構成例を示すブロック図である。図２において、移動体交換装置１２は、制御装置１４Ａ，１４Ｂなどの制御装置との間で双方向通信を司る通信制御部１２０１、ＣＰＵ、ＲＯＭ、ＲＡＭなどを備え、装置全体の制御を司る制御部１２０２、データベース１５から提供される音声のテキスト文字列から音声データを生成（合成）して通信制御部１２０１を介して制御装置に出力する音声合成部１２０３、携帯電話において本実施の形態による呼出時のコンテンツ提供を実現するための本装置側の処理を受けもつアプリケーションプログラム（以下、アプリと言う）などを含むプログラムを記憶する記憶部１２０４、データベース１５を本装置に接続するためのデータベースインタフェース１２０５、本装置の各部間におけるデータの双方向通信に供されるバスライン１２０６などを備えて構成される。
【００２２】
制御部１２０２は、携帯電話１１Ａ，１１Ｂなどの携帯端末の発呼に応じてリングバックトーン期間中、当該端末に呼出音などのコンテンツを提供する。たとえばユーザが携帯電話１１Ａを用いて携帯電話１１Ｂに対して電話を掛けたとき、携帯電話１１Ａにおいて携帯電話１１Ｂが通話を開始するまでのリングバックトーン期間中、通常、移動体交換装置から送られてくる呼出音に替わり、その携帯電話１１Ａのユーザに関するプロフィールに応じて音楽、音声、画像などのコンテンツが動的に変化させて提供される。
【００２３】
図２において、データベース１５は、携帯電話を所有するユーザのうち会員登録したユーザを管理するための会員レコードテーブル１５１、会員登録したユーザのプロフィールを管理するためのプロフィールレコードテーブル１５２、音楽、音声、画像などのコンテンツ情報１５３を更新可能に記憶している。以下、これらのテーブルについて詳細に説明する。
【００２４】
図３の（ａ）は、会員レコードテーブル１５１を示す図である。この会員レコードテーブル１５１には、入会希望のユーザ毎に「会員ＩＤ」、「入会日」、「メールアドレス」、「電話番号」などの会員情報が登録される。この図３（ａ）の例では、会員ＩＤ「１００１」のユーザの会員情報は、入会日が「２００３年９月１２日」、メールアドレスが「ＭＡＫＩ＠ｄｗａｎｇｏ．ｎｅ．ｊｐ」、電話番号が「０９０＊＊＊＊＊＊＊＊」となっており、会員ＩＤ「１００５」のユーザの会員情報は、入会日が「２００３年９月１３日」、メールアドレスが「ＰＯＮＴＡ＠ｄｗａｎｇｏ．ｎｅ．ｊｐ」、電話番号が「０９０＊＊＊＊＊＊＊＊」となっている。
【００２５】
図３（ｂ）は、プロフィールレコードテーブル１５２を示す図である。このプロフィールレコードテーブル１５２には、「会員ＩＤによって決まる複数のＩＤ」、「呼出種別」、「素材ＩＤ」、「前置文」、「あだ名」、「後置文」などの会員毎のプロフィールが登録される。とくに、このプロフィールレコードテーブル１５２では、１人の会員に対して４つのレコードが確保されている。たとえば、会員ＩＤのユーザには、４００４〜４００７のレコードが確保されている。
【００２６】
「呼出種別」とは、呼び出しの種別を示すものであり、その種別に対応する数値が設定される。たとえば、和音を重ねるメロディやＣＤ音源を用いた音楽の場合は「１」、音声の場合は「２」、静止画や動画のように画像の場合は「３」、音楽と映像とが融合したムービーの場合は「４」が設定される。「素材ＩＤ」は呼出種別に対応する数値が設定される。たとえば、「相川八也」というアーティストの音楽の場合は「１０」、「相川八也」の音声の場合は「４５」が設定される。
【００２７】
「前置文」は、呼出種別で２（音声）を設定した場合、その音声の前置文（たとえば「はちやどぇす」）に対応する数値（たとえば「１８」）が設定される。「あだ名」は、呼出種別で２（音声）を設定した場合、その音声のあだ名（たとえば「まきちゃん」）に対応する数値（たとえば「６９」）が設定される。「後置文」は、呼出種別で音声（２）を設定した場合、その音声の後置文（たとえば「元気ー？」）に対応する数値（たとえば「１２５」）が設定される。これらの数値は音声の種類に応じて任意に決定されるものであり、限定された数値ではない。
【００２８】
図３（ｃ）は、コンテンツ情報を示す図である。このコンテンツ情報は、呼出種別に対応させて素材ＩＤとコンテンツデータを記憶させた構成である。一例として、呼出種別１に対して素材ＩＤが１〜４４まで登録可能であり、呼出種別２に対して素材ＩＤが４５〜５９まで登録可能である。呼出種別３に対して素材ＩＤが６０〜６９まで登録可能であり、呼出種別１に対して素材ＩＤが７０〜８０まで登録可能である。
【００２９】
呼出種別１で素材ＩＤが１の場合、コンテンツデータは音楽データＭＬ１となり、呼出種別２で素材ＩＤが４５の場合、コンテンツデータは音声データＶＣ１となる。呼出種別３で素材ＩＤが６０の場合、コンテンツデータは画像データＩＭ１となり、呼出種別４で素材ＩＤが７０の場合、コンテンツデータはムービーデータＭＶ１となる。
【００３０】
つぎに、携帯電話１１について詳述する。図４は、携帯電話１１の一構成例を示すブロック図である。図４において、携帯電話１１は、アンテナ１１０１、通信制御部１１０２、制御部１１０３、操作部１１０４、表示部１１０５、記憶部１１０６、音声／サウンド制御部１１０９などを備えている。通信制御部１１０２は、アンテナ１１０１に接続され、アンテナ１１０１を介して基地局１１Ａなどと通信を行うものである。この通信制御部１１０２により、音声通話などの通信を実現することができる。
【００３１】
制御部１１０３は、ＣＰＵ、ＲＯＭ、ＲＡＭなどを備え、記憶部１１０６に記憶されているプログラム１１０６１に従って携帯電話１１全体の制御を行う。たとえば、携帯用の各種アプリ、たとえばＪＡＶＡ（米Sun Microsystems社の登録商標）アプリによってウェブ閲覧を制御する。また、制御部１１０３は、操作部１１０４からの入力を受けて各種の処理を実行し、また各種の処理に応じて表示を制御する。記憶部１１０６には、上述したプログラムを記憶する領域１１０６１が設定されている。
【００３２】
操作部１１０４は、電話番号、アドレスなどの入力を行うためのキー、リンク先を選択するキーなどを備えている。表示部１１０５は、たとえば、ブラウザを表示したり、電話やメールの機能を使うときの表示画面を形成したりするものである。音声／サウンド制御部１１０９は、着信メロディ出力や音声出力のためのスピーカ１１０７と音声入力のためのマイク１１０８が接続されており、受話時や送話時の音声処理を行う。
【００３３】
ここで、プロフィールの入力操作について図５を参照して説明する。図４は、会員登録時の携帯電話１１の画面遷移を示す図である。上述したようにプロフィールは会員登録時に入力する。プロフィールを入力するための会員登録ページ（プロフィール作成ページ）が移動体交換装置１２との通信により提供される。なお、会員登録時の動作の詳細については後述する。
【００３４】
図５において、会員登録ページでは「プロフィール設定」が初期画面として表示される。この「プロフィール設定」画面には、「呼出音楽設定」、「呼出音声設定」、「プロフィール設定削除」の３項目がある。「呼出音楽設定」は、たとえば、呼び出し元携帯電話１１Ａによる呼出し後、呼び出し先携帯電話１１Ｂが応答するまでのリングバックトーン期間中、呼び出し元携帯電話１１Ａに提供されるコンテンツを音楽とするものである。
【００３５】
「呼出音声設定」は、たとえば、呼び出し元携帯電話１１Ａによる呼出し後、呼び出し先携帯電話１１Ｂが応答するまでのリングバックトーン期間中、呼び出し元携帯電話１１Ａに提供されるコンテンツを音声とするものである。「呼出音楽設定」を選択すると「呼出音設定」画面に切り替わる。
【００３６】
この画面では、ユーザが好む曲の検索を「アーティスト名」と「曲名」の双方で検索することができる。「アーティスト名」で検索する場合、「アーティスト名で検索」のラジオボタンＲＢ１を押す。これにより、「呼出音設定」画面から「アーティスト一覧」画面に切り替わり、あいうえお順やアルファベット順でアーティスト名の検索が可能となる。
【００３７】
ここで、たとえば「あ」を選択すると、頭文字が「あ」ではじまるアーティストの名前が表示される。たとえば、「アース」、「相川八也」、「ＡＩ−ＳＡＴＳＵ」、「ＡＫＩＭＡ」、「朝沢ひろみ」が表示される。この中から探していたアーティストを選択する。ここで「相川八也」を選択して「[０]戻る」を選択すると、「アーティスト一覧」画面に戻り、更に「アーティスト一覧」画面で「[０]戻る」を選択すると、「呼出音設定」画面に戻る。このとき、「呼出音設定」画面のテキストボックスＴＢ１には、相川八也と彼の曲名すなわち「相川八也／糸トンボ」が表示される。このとき、たとえば「相川八也」の代表曲又は最新の曲が選択される。
【００３８】
曲名で検索する場合は「曲名で検索」のラジオボタンＲＢ２を押す。これにより、図示していない「曲名一覧」の画面に切り替わり、あいうえお順やアルファベット順で曲面の検索が可能となる。このようにして呼出時の再生コンテンツとして音楽が設定される。そして、この設定を会員ＩＤ「１００１」のユーザが行った場合、そのプロフィールレコードには図３（ｂ）の「４００４」のレコードに示すような数値が設定される。すなわち、「呼出種別」には音楽であるので数値「１」が設定され、「素材ＩＤ」には「相川八也の糸トンボ」を示す数値「１０」が設定される。「前置文」、「あだ名」及び「後置文」は、音声に関係があって音楽には紐付けがないので空白のままになる。
【００３９】
一方、「プロフィール設定」の画面で「呼出音声設定」を選択すると「呼出音声設定」画面に切り替わる。この画面で、ユーザが希望する「アーティスト」、「前置文」、「あだ名」及び「後置文」を設定する。「アーティスト」については検索することができるので、その場合は「アーティスト」のテキストボックスＴＢ２の右隣にあるラジオボタンＲＢ４を押す。これにより、「呼出音声設定」画面から「アーティスト一覧」画面に切り替わり、あいうえお順やアルファベット順でアーティスト名の検索が可能となる。
【００４０】
ここで、たとえば「あ」を選択すると、上記同様に頭文字が「あ」ではじまるアーティストの名前が表示される。たとえば、「アース」、「相川八也」、「ＡＩ−ＳＡＴＳＵ」、「ＡＫＩＭＡ」、「朝沢ひろみ」が表示される。この中から探していたアーティストを選択する。ここで「相川八也」を選択して「[０]戻る」を選択すると、「アーティスト一覧」画面に戻り、更に「アーティスト一覧」画面で「[０]戻る」を選択すると、「呼出音声設定」画面に戻る。このとき「呼出音声設定」画面のテキストボックスＴＢ２には、「相川八也」の名前が表示される。
【００４１】
「アーティスト」の設定を行った後、「前置文」を設定する。この設定においても「前置文」のテキストボックスＴＢ３の右隣にあるラジオボタンＲＢ５を押すことで、図示しない「前置文一覧」の画面に切り替わる。このとき「＿どぇす」を選択して「呼出音声設定」画面に戻ると、「前置文」のテキストボックスＴＢ３に「はちやどぇす」が表示される。
【００４２】
「前置文」の設定を行った後、「あだ名」を設定する。この設定においても「あだ名」のテキストボックスＴＢ４の右隣にあるラジオボタンＲＢ６を押すことで、図示しない「あだ名」の画面に切り替わる。このときユーザ自身のあだ名である「まきちゃん」を選択して「呼出音声設定」画面に戻る。これにより、「あだ名」のテキストボックスＴＢ４に「まきちゃん」が表示される。
【００４３】
「あだ名」の設定を行った後、「後置文」を設定する。この設定においても「後置文」のテキストボックスＴＢ５の右隣にあるラジオボタンＲＢ７を押すことで、図示しない「後置文」の画面に切り替わる。このとき「元気−？」を選択して「呼出音声設定」画面に戻ると、「後置文」のテキストボックスＴＢ５に「元気ー？」が表示される。
【００４４】
このようにして呼出時の再生コンテンツとして音声を決定する。この設定を会員ＩＤ「１００１」のユーザが行った場合、プロフィールレコードには、図３の（ｂ）の「４００５」のような数値が設定される。すなわち、「呼出種別」にはボイスであるので数値「２」が設定され、「素材ＩＤ」には「相川八也のボイス」を示す数値「４５」が設定される。また、「前置文」には「はちやどぇす」を示す数値「１８」が設定され、「あだ名」には「まきちゃん」を示す数値「６９」が設定され、「後置文」には「元気ー？」を示す数値「１２５」は設定される。
【００４５】
一度設定したプロフィールは、「プロフィール設定」画面でプロフィール設定削除を選択することで、自由に消去することができる。なお、上記「前置文」、「あだ名」及び「後置文」は、定型文を選択するものであるが、音声入力して任意の文を設定できることも可能である。
【００４６】
つぎに、会員登録時の動作について図６を用いて詳細に説明する。図６は会員登録時の携帯電話と移動体交換システム間の動作を説明するためのフローチャートであり、図７は呼び出し時におけるコンテンツ再生にかかる動作を説明するためのフローチャートである。
【００４７】
ここでは、携帯電話１１Ａを例に挙げて説明する。図６において、まずユーザの操作により携帯電話１１ＡのＪＡＶＡアプリ（米Sun Microsystems社の登録商標）が起動すると、ＨＴＴＰを用いて、携帯電話１１Ａから移動体交換装置１２へのアクセスが行われる（ステップＳＡ１０）。このステップＳＡ１０では、携帯電話１１Ａから移動体交換装置１２に対して会員登録が要求される。
【００４８】
移動体交換装置１２では、携帯電話１１Ａからのアクセスに応じて会員登録ページを作成し、ＨＴＴＰを用いて会員登録ページが携帯電話１１Ａに送信される（ステップＳＢ１０）。移動体交換装置１２から送信された会員登録ページは、携帯電話１１Ａの画面上に表示される（ステップＳＡ１１）。ユーザの操作により、携帯電話１１Ａの画面に表示された会員登録ページにしたがってプロフィールの入力が行われる。
【００４９】
ユーザによるプロフィール入力が行われた後、携帯電話１１ＡのＪＡＶＡアプリ（米Sun Microsystems社の登録商標）によりＨＴＴＰを用いてユーザにより入力されたプロフィールが送信される（ステップＳＡ１２）。移動体交換装置１２では、携帯電話１１Ａのユーザのプロフィールはデータベース１５の会員レコードテーブル１５１およびプロフィールテーブル１５２に登録される（ステップＳＢ１１）。
【００５０】
すなわち、ユーザがたとえば「まき」である場合、会員レコードテーブル１５１には、図３で説明したように、「会員ＩＤ」の欄に「１００１」、「入会日」の欄に「２００３０９１２」、「メールアドレス」の欄に「ＭＡＫＩ＠ｄｗａｎｇｏ．ｎｅ．ｊｐ」がそれぞれ記録される。また、ユーザがたとえば「ぽんた」である場合、会員レコードテーブル１５１には、「会員ＩＤ」の欄に「１００５」、「入会日」の欄に「２００３０９１３」、「メールアドレス」の欄に「ＰＯＮＴＡ＠ｄｗａｎｇｏ．ｎｅ．ｊｐ」がそれぞれ記録される。
【００５１】
また、プロフィールレコードテーブル１５２の「会員ＩＤによって決まる複数のＩＤ」の「４００４」には、「呼出種別」の欄に「１」、「素材ＩＤ」の欄に「１０」がそれぞれ設定される。また、「会員ＩＤによって決まる複数のＩＤ」の「４００５」には、「呼出種別」の欄に「２」、「素材ＩＤ」の欄に「４５」、「前置文」の欄に「１８」、「あだ名」の欄に「６９」、「後置文」の欄に「１２５」がそれぞれ設置される。なお、ステップＳＢ１１の会員登録においては、データベースを扱うためのたとえばＳＱＬ(Structured Query Language)言語が使用される。
【００５２】
つづいて、呼出音出力時の動作について図７を用いて説明する。ここでは、携帯電話１１Ａから携帯電話１Ｂに電話をかける場合を例に挙げる。図７において、携帯電話１１Ａから携帯電話１１Ｂに対して電話を掛ける通話操作が行われると（ステップＳＡ２０）、移動体交換装置１２においてその携帯電話１１Ａの電話番号と呼び出し先電話番号とが確認され、データベース１５に対しては呼び出し元携帯電話１１Ａの電話番号が通知される（ステップＳＢ２０）。
【００５３】
データベース１５では、移動体交換装置１２から通知された携帯電話１１Ａの電話番号から、その携帯電話１１Ａに該当するユーザが会員か非会員かの判定がなされる（ステップＳＤ２０）、そして、ユーザが非会員であれば、リングバックトーン期間中は、通常の呼び出し音による処理が実行される。この場合は、通常の呼出音が携帯電話１１Ａのスピーカ１１０７から出力される。
【００５４】
これに対して、携帯電話１１Ａのユーザが会員であれば、その会員のプロフィールがデータベース１５から取得され（ステップＳＤ２１）、そのプロフィールに基づいて対応するコンテンツが決定する（ステップＳＤ２２）。たとえば、会員が「まき」であって、呼出時再生コンテンツの設定が音楽であれば、たとえば呼出種別「１」、素材ＩＤ「１０」がプロフィールとして取得される。
【００５５】
移動体交換装置１２では、会員のプロフィールに基づいて決定されたコンテンツデータがデータベース１５から取得されると、そのコンテンツデータすなわち音楽データに基づいて音楽が再生され、携帯電話１１Ａへ再生音楽が送信される（ステップＳＢ２１）。これにより、携帯電話１１Ａのスピーカ１１０７から「相川八也」の音楽が出力される（ステップＳＡ２１）。この音楽は、携帯電話１１Ｂのユーザが電話に出るまでの間、継続して流れる。
【００５６】
一方、呼出時再生コンテンツの設定が音声であれば、呼出種別「２」、素材ＩＤ「４５」、前置文「１８」、あだ名「６９」、後置文「１２５」がプロフィールとして取得され、携帯電話１１のスピーカ１１０７から「相川八也」の声で「はちやどぇす まきちゃん 元気−？」が出力される。この音声も携帯電話１１Ｂのユーザが電話に出るまでの間、繰り返し流れる。
【００５７】
以上説明したように、本実施の形態によれば、電話の呼び出し時に、発信元端末（呼び出し元携帯電話）に対して単調な呼出音を返すのではなく、電話の呼び出し期間を有効に使用して、呼び出し側（発信元端末：呼び出し先携帯電話）のユーザに応じて音楽、音声、画像などのコンテンツを簡単かつ動的に変化させて提供することが可能である。
【００５８】
以上のように、本実施の形態に係る呼び出し制御システムによれば、携帯電話を所有するユーザのプロフィールを移動体交換システム１０に登録しておけば、携帯電話で呼び出す際に、その呼び出し元携帯電話では、呼び出し元のユーザのプロフィールに基づいて音楽、音声、画像などを合成した呼出時再生コンテンツが享受される。これにより、発呼者であるユーザは、被呼者が電話に出るまでの間、無味乾燥な時を過ごすことなく、潤いのある時を過ごすことができるようになる。また、好きなアーティストの新曲を聴くことも可能であるので、ＣＤ、ＭＤ、カセットの販売促進が図れる。
【００５９】
さて、上述した実施の形態では、呼出再生コンテンツとして、音楽、音声を中心に説明したが、静止画、動画の画像や音楽と映像との融合したムービーにおいても同様の手法により実現することが可能である。
【００６０】
また、ボイスの場合、定型文を選択するようにしたが、好きな文を作成してテキストとして移動体交換装置１２に登録しておき、移動体交換装置１２がそのテキストを再生コンテンツに音声合成するようにしてもよい。
【００６１】
また、ユーザのプロフィールと所定の音楽サイトからの情報とを基に移動体交換装置が勝手に文を作成するようにしても良い。勿論画像も同様である。このようにすると、ユーザは、自分以外が設定したメロディやボイスを聞く楽しみを味わうことができる。
【産業上の利用可能性】
【００６２】
携帯電話などの携帯端末を扱う移動体通信システム全般への適用が可能である。
【図面の簡単な説明】
【００６３】
【図１】本実施の形態による呼び出し制御システムを概略的に説明する概略構成図である。
【図２】本実施の形態による移動体交換システムの一構成例を示すブロック図である。
【図３】本発実施の形態による各種レコードテーブルを説明する図である。
【図４】本実施の形態による携帯電話の一構成例を示すブロック図である。
【図５】本実施の形態によるプロフィール設定時の携帯電話の画面遷移を説明する図である。
【図６】本実施の形態における会員登録時の動作を説明するフローチャートである。
【図７】本実施の形態における呼出時コンテンツ再生動作を説明するフローチャートである。
【符号の説明】
【００６４】
１０  移動体交換システム
１１Ａ，１１Ｂ  携帯電話
１２  移動体交換装置
１３Ａ，１３Ｂ  基地局
１４Ａ，１４Ｂ  制御装置
１５  データベース
１５１  会員レコードテーブル
１５２  プロフィールレコードテーブル
１５３  コンテンツ情報
１１０１  アンテナ
１１０２，１２０１  通信制御部
１１０３，１２０２  制御部
１１０４  操作部
１１０５  表示部
１１０６，１２０４  記憶部
１１０７  スピーカ
１１０８  マイク
１１０９  音声／サウンド制御部
１１１０，１２０６  バスライン
１２０３  音声合成部
１２０７  データベースインタフェース
１１０６１，１２０４１  プログラム
【要約】
【課題】電話の呼び出し時に、発信元端末（呼び出し元携帯電話）に対して単調な呼出音を返すのではなく、電話の呼び出し期間を有効に使用して、呼び出し側（発信元端末：呼び出し先携帯電話）のユーザに応じて音楽、音声、画像などのコンテンツを簡単かつ動的に変化させて提供できるようにすることを課題とする。
【解決手段】携帯電話を所有するユーザのプロフィールを移動体交換システム１０に登録しておけば、携帯電話で呼び出す際に、その呼び出し元携帯電話では、呼び出し元のユーザのプロフィールに基づいて音楽、音声、画像などを合成した呼出時再生コンテンツが享受される。これにより、発呼者であるユーザは、被呼者が電話に出るまでの間、無味乾燥な時を過ごすことなく、潤いのある時を過ごすことができるようになる。
【選択図】図１
【図１】
0003649333.tif 000002
【図２】
0003649333.tif 000003
【図３】
0003649333.tif 000004
【図４】
0003649333.tif 000005
【図５】
0003649333.tif 000006
【図６】
0003649333.tif 000007
【図７】
0003649333.tif 000008